(57)【要約】      （修正有）【課題】複数の通気孔を有することで収容物の湿度調節を行うことができると共に、段積みに適した箱用シートを提供する。【解決手段】箱用シートは、左右方向の一方側から他方側に連接され、組立時に四角筒状部を構成する第１、第２、第３及び第４側面パネルと、第１及び第３側面パネルの下縁から延出する一対の下側外フラップ５、６と、第２及び第４側面パネルの下縁から延出する一対の下側内フラップ７、８とを備え、第１及び第２の連接部分の上縁、並びに第３及び第４側面パネルの連接部分の上縁から上方に突出する係合用突起９ａ、９ｂを有し、第１及び第２側面パネルの連接部分の下端、並びに第３及び第４側面パネルの連接部分の下端に係合用切欠き１６ａ、１６ｂ及びこの係合用切欠きから左右方向に連続する第１通気用切欠き１７ａ、１７ｂを有する。【選択図】図１
0003207776.tif 000002
【実用新案登録請求の範囲】
【請求項１】
１枚の段ボールシートからなり、
左右方向の一方側から他方側に連接され、組立時に四角筒状部を構成する第１側面パネル、第２側面パネル、第３側面パネル及び第４側面パネルと、
上記第１側面パネル及び第３側面パネルの下縁から延出する一対の下側外フラップと、上記第２側面パネル及び第４側面パネルの下縁から延出する一対の下側内フラップと
を備え、
上記第１側面パネル及び第２側面パネルの連接部分の上縁、並びに上記第３側面パネル及び第４側面パネルの連接部分の上縁から上方に突出する係合用突起を有し、
上記第１側面パネル及び第２側面パネルの連接部分の下端、並びに上記第３側面パネル及び第４側面パネルの連接部分の下端に係合用切欠き及びこの係合用切欠きから左右方向に連続する第１通気用切欠きを有する箱用シート。
【請求項２】
上記一対の下側外フラップの基端側の端縁及び一対の下側内フラップの基端側の端縁が上記係合用切欠きの下側に左右方向に延在する請求項１に記載の箱用シート。
【請求項３】
上記第２側面パネル及び第３側面パネルの連接部分の下端、並びに上記第１側面パネル及び第４側面パネルの四角筒状部において連接される連接部分の下端に第２通気用切欠きを有し、
上記下側内フラップの側縁が、上記第２通気用切欠きの一端から下方に連続して形成されており、
上記下側外フラップの側縁が、上記第２通気用切欠きの他端から下側外フラップの左右方向外側かつ下方に傾斜する傾斜部を有する請求項１又は請求項２に記載の箱用シート。
【請求項４】
上記第１側面パネル乃至第４側面パネルの上縁から延出する第１フランジ乃至第４フランジをさらに備え、
第２フランジ及び第３フランジの隣接する側の側縁が面取りされている請求項１、請求項２又は請求項３に記載の箱用シート。
【請求項５】
上記第１側面パネル乃至第４側面パネル、及び上記４つの下側フラップが、組立状態でシート厚さ方向に貫通する複数の通気孔を有する請求項１から請求項４のいずれか１項に記載の箱用シート。
【考案の詳細な説明】
【技術分野】
【０００１】
本考案は、箱用シートに関する。
【背景技術】
【０００２】
段ボールシートを組み立ててなる包装箱が物品の保管用、運搬用等として広く用いられている。この包装箱としては、冷蔵品、冷凍品等の加工食品や、生鮮食品などの温度や湿度を調節するための通気孔を有するものが存在している。
【０００３】
このような通気孔を有する包装箱としては、例えば「アイスクリーム包装用紙箱」（実開昭６３−６２３９４号公報参照）が発案されている。この公報に記載の包装用紙箱は、周壁の下端部に複数の通気孔を有するので、この通気孔から冷気を包装紙箱内に取り込み易く、アイスクリームの冷凍保存に適しているとされている。
【先行技術文献】
【特許文献】
【０００４】
【特許文献１】実開昭６３−６２３９４号公報
【考案の概要】
【考案が解決しようとする課題】
【０００５】
一方、今日では、複数の包装箱の保管及び運搬に際して、これら複数の包装箱を段積みすることが多い。しかしながら、複数の通気孔を有する従来の包装箱についての段積みに適した構成については検討されていない。
【０００６】
上記不都合に鑑みて、本考案は、複数の通気孔を有することで収容物の湿度調節を行うことができると共に、段積みに適した包装箱に組み立て可能な箱用シートの提供を目的とするものである。
【課題を解決するための手段】
【０００７】
上記課題を解決するためになされた本考案に係る箱用シートは、１枚の段ボールシートからなり、左右方向の一方側から他方側に連接され、組立時に四角筒状部を構成する第１側面パネル、第２側面パネル、第３側面パネル及び第４側面パネルと、上記第１側面パネル及び第３側面パネルの下縁から延出する一対の下側外フラップと、上記第２側面パネル及び第４側面パネルの下縁から延出する一対の下側内フラップとを備え、上記第１側面パネル及び第２側面パネルの連接部分の上縁、並びに上記第３側面パネル及び第４側面パネルの連接部分の上縁から上方に突出する係合用突起を有し、上記第１側面パネル及び第２側面パネルの連接部分の下端、並びに上記第３側面パネル及び第４側面パネルの連接部分の下端に係合用切欠き及びこの係合用切欠きから左右方向に連続する第１通気用切欠きを有する。
【０００８】
当該箱用シートは、第１側面パネル及び第２側面パネルの連接部分の上縁、並びに第３側面パネル及び第４側面パネルの連接部分の上縁から上方に突出する係合用突起を有し、かつ第１側面パネル及び第２側面パネルの連接部分の下端、並びに第３側面パネル及び第４側面パネルの連接部分の下端に係合用切欠きを有するので、当該箱用シートを組み立ててなる複数の包装箱において、下側の包装箱の係合用突起を上側に重ねられる包装箱の係合用切欠きに係合することで複数の包装箱を安定的に段積みすることができる。また、当該箱用シートは、上記係合用切欠きから左右方向に連続する第１通気用切欠きを有するので、この通気用切欠きによって包装箱内に外気を取り込み、かつ包装箱内の空気を排出することで、収容物の湿度調節を行うことができる。当該箱用シートは、上記係合用切欠き及び第１通気用切欠きが連続して形成されているので、上記係合用切欠き及び第１通気用切欠きの形成が容易である。
【０００９】
上記一対の下側外フラップの基端側の端縁及び一対の下側内フラップの基端側の端縁が上記係合用切欠きの下側に左右方向に延在するとよい。このように、上記一対の下側外フラップの基端側の端縁及び一対の下側内フラップの基端側の端縁が上記係合用切欠きの下側に左右方向に延在することによって、当該箱用シートを組み立ててなる複数の包装箱を段積みした状態で、下側の包装箱の一対の係合用突起の内面が上側の包装箱の下側フラップの基端側の端縁に当接することで、これらの包装箱が横ずれし難い。そのため、複数の包装箱の段積み状態の安定性を向上することができる。
【００１０】
上記第２側面パネル及び第３側面パネルの連接部分の下端、並びに上記第１側面パネル及び第４側面パネルの四角筒状部において連接される連接部分の下端に第２通気用切欠きを有し、上記下側内フラップの側縁が、上記第２通気用切欠きの一端から下方に連続して形成されており、上記下側外フラップの側縁が、上記第２通気用切欠きの他端から下側外フラップの左右方向外側かつ下方に傾斜する傾斜部を有するとよい。このように、上記第２側面パネル及び第３側面パネルの連接部分の下端、並びに上記第１側面パネル及び第４側面パネルの四角筒状部において連接される連接部分の下端に第２通気用切欠きを有することによって、当該箱用シートを組み立ててなる包装箱に収容される収容物の湿度調節機能を向上することができる。特に、上記下側内フラップの側縁が上記第２通気用切欠きの一端から下方に連続して形成されており、かつ上記下側外フラップの側縁が上記第２通気用切欠きの他端から下側外フラップの左右方向外側かつ下方に傾斜する傾斜部を有することによって、包装箱の底面部にも開口を形成することができるので、収容物の湿度調節機能をさらに向上することができる。
【００１１】
上記第１側面パネル乃至第４側面パネルの上縁から延出する第１フランジ乃至第４フランジをさらに備え、第２フランジ及び第３フランジの隣接する側の側縁が面取りされているとよい。このように、上記第１側面パネル乃至第４側面パネルの上縁から延出する第１フランジ乃至第４フランジをさらに備え、第２フランジ及び第３フランジの隣接する側の側縁が面取りされていることによって、第１フランジ乃至第４フランジを風車式に組み易い。
【００１２】
上記第１側面パネル乃至第４側面パネル、及び上記４つの下側フラップが、組立状態でシート厚さ方向に貫通する複数の通気孔を有するとよい。このように、上記第１側面パネル乃至第４側面パネル、及び上記４つの下側フラップが、組立状態でシート厚さ方向に貫通する複数の通気孔を有することによって、当該箱用シートを組み立ててなる包装箱に収容される収容物の湿度調節機能を向上することができる。
【００１３】
なお、本考案において、「左右」とは、当該箱用シートを組み立てた箱体の典型的な使用状態における水平方向を意味する。また、「上」及び「下」とは、上述の左右に対応した「上」及び「下」を意味する。
【考案の効果】
【００１４】
以上説明したように、本考案に係る箱用シートは、複数の通気孔を有することで収容物の湿度調節を行うことができると共に、段積みに適している。
【図面の簡単な説明】
【００１５】
【図１】本考案の一実施形態に係る箱用シートを示す模式的平面図である。
【図２】図１の箱用シートを組み立ててなる包装箱を示す模式的斜視図である。
【図３】図２の２つの包装箱を段積みにした状態を示す模式的斜視図である。
【図４】図２の包装箱の模式的底面図である。
【考案を実施するための形態】
【００１６】
以下、適宜図面を参照しつつ、本考案の実施の形態を詳説する。
【００１７】
［箱用シート］
図１の箱用シートは、１枚の段ボールシートからなる。当該箱用シートは、左右方向に連接され、組立時に四角筒状部を構成する第１側面パネル１、第２側面パネル２、第３側面パネル３及び第４側面パネル４と、第１側面パネル１及び第３側面パネル３の下縁から延出する一対の下側外フラップ５，６と、第２側面パネル２及び第４側面パネル４の下縁から延出する一対の下側内フラップ７，８とを備える。また、当該箱用シートは、第１側面パネル１の上縁から延出する第１フランジ１１と、第２側面パネル２の上縁から延出する第２フランジ１２と、第３側面パネル３の上縁から延出する第３フランジ１３と、第４側面パネル４の上縁から延出する第４フランジ１４と、第４側面パネル４の第３側面パネル３との連接側と反対側の端縁に連接される糊代部１５とを備える。さらに、当該箱用シートは、第１側面パネル１及び第２側面パネル２の連接部分の上縁、及び第３側面パネル３及び第４側面パネル４の連接部分の上縁から上方に突出する一対の係合用突起９ａ，９ｂを有する。
【００１８】
当該箱用シートを形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００１９】
当該箱用シートの組立手順について説明する。まず、第４側面パネル４を第３側面パネル３の内面に折り重ね、続いて第１側面パネル１を第２側面パネル２の内面に折り重ね、糊代部１５を第１側面パネル１の内面に貼着する。これにより、第１側面パネル１乃至第４側面パネル４が無端状に接続され、四角筒状部が形成される。次に、一対の下側内フラップ７，８を内側に略直角に折り曲げ、さらに一対の下側外フラップ５，６を内側に略直角に折り曲げて先端同士を突き合わせることで底面部を形成する。なお、一対の下側外フラップ５，６の突き合わせ部には、突き合わせ状態を保持すべく封函テープ等を貼着することが好ましい。続いて、第１フランジ１１乃至第４フランジ１４を内側に略直角に折り曲げる。これにより、図２に示す包装箱３１が組み立てられる。
【００２０】
（側面パネル）
第１側面パネル１乃至第４側面パネル４は各々略矩形状に形成されている。また、第１側面パネル１及び第３側面パネル３は略同形状に形成され、第２側面パネル２及び第４側面パネル４は略同形状に形成されている。
【００２１】
第１側面パネル１乃至第４側面パネル４の上下方向長さの下限としては、５ｃｍが好ましく、１０ｃｍがより好ましい。一方、第１側面パネル１乃至第４側面パネル４の上下方向長さの上限としては、３０ｃｍが好ましく、２０ｃｍがより好ましい。第１側面パネル１乃至第４側面パネル４の上下方向長さが上記下限に満たないと、当該箱用シートを組み立ててなる包装箱３１に収容できる物品が限定されるおそれがある。逆に、第１側面パネル１乃至第４側面パネル４の上下方向長さが上記上限を超えると、包装箱３１のサイズが大きくなり過ぎて取扱性が低下するおそれがある。
【００２２】
第１側面パネル１及び第３側面パネル３の左右方向長さは、第２側面パネル２及び第４側面パネル４の左右方向長さ以上である。第１側面パネル１及び第３側面パネル３の左右方向長さの下限としては、１５ｃｍが好ましく、２０ｃｍがより好ましい。一方、第１側面パネル１及び第３側面パネル３の左右方向長さの上限としては、５０ｃｍが好ましく、３０ｃｍがより好ましい。第１側面パネル１及び第３側面パネル３の左右方向長さが上記下限に満たないと、当該箱用シートを組み立ててなる包装箱３１に収容できる物品が限定されるおそれがある。逆に、第１側面パネル１及び第３側面パネル３の左右方向長さが上記上限を超えると、包装箱３１のサイズが大きくなり過ぎて取扱性が低下するおそれがある。
【００２３】
第２側面パネル２及び第４側面パネル４の左右方向長さの第１側面パネル１及び第３側面パネル３の左右方向長さに対する比の下限としては、０．６が好ましく、０．８がより好ましい。上記比が上記下限に満たないと、当該箱用シートを組み立ててなる包装箱３１の平面視におけるアスペクト比が大きくなり過ぎて取扱性が低下するおそれがある。一方、上記比の上限としては、１とすることができる。
【００２４】
第１側面パネル１及び第２側面パネル２の連接部分の下端、並びに第３側面パネル３及び第４側面パネル４の連接部分の下端には一対の係合用切欠き１６ａ，１６ｂが形成されている。また、第２側面パネル２の下端及び第４側面パネル４の下端には、一対の係合用切欠き１６ａ，１６ｂから左右方向に連続する一対の第１通気用切欠き１７ａ，１７ｂが形成されている。具体的には、第１側面パネル１及び第２側面パネル２の連接部分の下端、並びに第３側面パネル３及び第４側面パネル４の下端には、後述する係合用突起９ａ，９ｂと上下方向に重なる位置に一対の係合用切欠き１６ａ，１６ｂが形成されおり、第２側面パネル２及び第４側面パネル４にはこれら一対の係合用切欠き１６ａ，１６ｂから左右方向に連続して一対の第１通気用切欠き１７ａ，１７ｂが形成されている。
【００２５】
一対の係合用切欠き１６ａ，１６ｂ及び一対の第１通気用切欠き１７ａ，１７ｂはそれぞれ略矩形状に形成されている。また、一対の係合用切欠き１６ａ，１６ｂ及び一対の第１通気用切欠き１７ａ，１７ｂの上下方向長さは等しい。これにより、一方の係合用切欠き１６ａ及び一方の第１通気用切欠き１７ａは全体として略矩形状に形成され、かつ他方の係合用切欠き１６ｂ及び他方の第１通気用切欠き１７ｂは全体として略矩形状に形成されている。
【００２６】
第１側面パネル１乃至第４側面パネル４の上下方向長さに対する一対の係合用切欠き１６ａ，１６ｂ及び一対の第１通気用切欠き１７ａ，１７ｂの上下方向長さの比の下限としては、０．１が好ましく、０．１５がより好ましい。一方、上記比の上限としては、０．３５が好ましく、０．２５がより好ましい。上記比が上記下限に満たないと、係合用突起９ａ，９ｂ及び係合用切欠き１６ａ，１６ｂの係合状態における安定性が不十分となり、段積みした状態での複数の包装箱３１の安定性が十分に得られないおそれがある。また、上記比が上記下限に満たないと、一対の第１通気用切欠き１７ａ，１７ｂによる通気機能が不十分となるおそれがある。逆に、上記比が上記上限を超えると、包装箱３１の強度が不十分となるおそれがある。
【００２７】
第１側面パネル１及び第２側面パネル２の左右方向の合計長さに対する一対の係合用切欠き１６ａ，１６ｂの左右方向長さの比の下限としては、０．０３が好ましく、０．０６がより好ましい。一方、上記比の上限としては、０．１５が好ましく、０．１がより好ましい。上記比が上記下限に満たないと、係合状態における一対の係合用突起９ａ，９ｂの強度が不十分となり、段積み状態における複数の包装箱３１の安定性が十分に得られないおそれがある。逆に、上記比が上記上限を超えると、複数の包装箱３１の係合用突起９ａ，９ｂ及び係合用切欠き１６ａ，１６ｂの係合作業が容易でなくなるおそれがある。
【００２８】
第２側面パネル２及び第４側面パネル４の左右方向長さに対する一対の第１通気用切欠き１７ａ，１７ｂの左右方向長さの比の下限としては、０．１が好ましく、０．１５がより好ましい。一方、上記比の上限としては、０．３５が好ましく、０．２５がより好ましい。上記比が上記下限に満たないと、一対の第１通気用切欠き１７ａ，１７ｂによる通気機能が不十分となるおそれがある。逆に、上記比が上記上限を超えると、当該箱用シートを組み立ててなる包装箱３１の強度が不十分となるおそれがある。
【００２９】
第２側面パネル２及び第３側面パネル３の連接部分の下端、並びに第１側面パネル１及び第４側面パネル４の四角筒状部において連接される連接部分の下端には一対の第２通気用切欠き１８ａ，１８ｂが形成されている。当該箱用シートは、一対の第２通気用切欠き１８ａ，１８ｂを有することによって、当該箱用シートを組み立ててなる包装箱に収容される収容物の湿度調節機能を向上することができる。
【００３０】
一対の第２通気用切欠き１８ａ，１８ｂは、略矩形状に形成されている。また、一対の第２通気用切欠き１８ａ，１８ｂの上下方向長さとしては、一対の第１通気用切欠き１７ａ，１７ｂと略等しい。
【００３１】
第２側面パネル２及び第３側面パネル３の左右方向の合計長さに対する一対の第２通気用切欠き１８ａ，１８ｂの左右方向長さの比の下限としては、０．０４が好ましく、０．０６がより好ましい。一方、上記比の上限としては、０．１５が好ましく、０．１がより好ましい。上記比が上記下限に満たないと、一対の第２通気用切欠き１８ａ，１８ｂによる湿度調節機能が不十分となるおそれがある。逆に、上記比が上記上限を超えると、当該箱用シートを組み立ててなる包装箱３１の強度が不十分となるおそれがある。
【００３２】
一対の第２通気用切欠き１８ａ，１８ｂの左右方向長さは、第１側面パネル１乃至第４側面パネル４において全て等しくてもよいが、必要とされる通気性等に応じて適宜変更することが可能である。
【００３３】
第１側面パネル１乃至第４側面パネル４は厚さ方向に貫通する通気孔１９を有する。具体的には、第１側面パネル１及び第３側面パネル３は各一対の通気孔１９を有し、第２側面パネル２及び第４側面パネル４は各１つの通気孔１９を有する。第１側面パネル１及び第３側面パネル３は、上下方向の略中心位置、かつ左右方向の中央を基準とした左右対称位置に一対の通気孔１９を有する。また、第２側面パネル２及び第４側面パネル４は、上下方向略中心位置、かつ左右方向略中心位置に各１個の通気孔１９を有する。
【００３４】
各通気孔１９の具体的形状としては、特に限定されるものではないが、本実施形態においては略矩形状である。第１側面パネル１乃至第４側面パネル４の外接する方形に対する各通気孔１９の開口面積の比としては、例えば０．０３以上０．１以下程度とすることができる。
【００３５】
（下側フラップ）
一対の下側外フラップ５，６及び一対の下側内フラップ７，８は略矩形状に形成されている。また、一対の下側外フラップ５，６は略同形状に形成され、一対の下側内フラップ７，８は略同形状に形成されている。一対の下側外フラップ５，６の延出方向長さ及び一対の下側内フラップ７，８の延出方向長さは第２側面パネル２及び第４側面パネル４の左右方向長さの略１／２とされている。
【００３６】
一対の下側外フラップ５，６及び一対の下側内フラップ７，８の基端側の端縁は、一対の係合用切欠き１６ａ，１６ｂの下側に左右方向に延在している。具体的には、一対の下側外フラップ５，６の基端側の端縁は、第１側面パネル１及び第３側面パネル３との連接部から連続して一対の係合用切欠き１６ａ，１６ｂの下側まで直線状に伸びており、一対の下側内フラップ７，８の基端側の端縁は、第２側面パネル２及び第４側面パネル４との連接部から連続して、一対の係合用切欠き１６ａ，１６ｂの下側まで直線状に伸びている。当該箱用シートは、一対の下側外フラップ５，６及び一対の下側内フラップ７，８の基端側の端縁が一対の係合用切欠き１６ａ，１６ｂの下側に左右方向に延在することによって、図３に示すように、当該箱用シートを組み立ててなる複数の包装箱３１，３１’において、下側の包装箱３１の一対の係合用突起９ａ，９ｂの内面が上側の包装箱３１’の一対の下側外フラップ５’，６’及び一対の下側内フラップ７’，８’の基端側の端縁に当接することで、これらの包装箱３１，３１’が横ずれし難い。そのため、当該箱用シートは、複数の包装箱３１，３１’の段積み状態の安定性を向上することができる。
【００３７】
一対の下側内フラップ７，８の一対の第２通気用切欠き１８ａ，１８ｂ側の側縁は、一対の第２通気用切欠き１８ａ，１８ｂの一端から下方に直線状に連続して形成されている。また、一対の下側外フラップ５，６の一対の第２通気用切欠き１８ａ，１８ｂ側の側縁は、一対の第２通気用切欠き１８ａ，１８ｂの他端から一対の下側外フラップ５，６の左右方向外側かつ下方に傾斜する傾斜部２０ａ，２０ｂと、傾斜部２０ａ，２０ｂの下端から下方に直線状に連続する直線部２１ａ，２１ｂとを有する。さらに、一対の下側外フラップ５，６の一対の傾斜部２０ａ，２０ｂの長さは、一対の第２通気用切欠き１８ａ，１８ｂを画定する第２側面パネル２及び第４側面パネル４の端縁を一辺とし、第２通気用切欠き１８ａ，１８ｂを画定する第３側面パネル３及び第１側面パネル１の端縁を一辺とする直角三角形の斜辺の長さと略等しい。当該箱用シートは、一対の下側内フラップ７，８の側縁が一対の第２通気用切欠き１８ａ，１８ｂの一端から下方に連続して形成されており、かつ一対の下側外フラップ５，６の側縁が一対の第２通気用切欠き１８ａ，１８ｂの他端から一対の下側外フラップ５，６の左右方向外側かつ下方に傾斜する傾斜部２０ａ，２０ｂを有することによって、図４に示すように、包装箱３１の底面部にも開口を形成することができるので、収容物の湿度調節機能をさらに向上することができる。
【００３８】
一対の下側外フラップ５，６及び一対の下側内フラップ７，８は、組立状態でシート厚さ方向に貫通する複数の通気孔２２を有する。つまり、一対の下側外フラップ５，６及び一対の下側内フラップ７，８は、組立状態で重なり合う位置に複数の通気孔２２を有する。具体的には、一対の下側外フラップ５，６は、左右方向の中央を基準とした左右対称位置に一対の通気孔２２を有する。また、一対の下側内フラップ７，８は、組立状態で一対の下側外フラップ７，８の各一対の通気孔２２と重なる部分に各一対の通気孔２２を有する。当該箱用シートは、上述のように第１側面パネル１乃至第４側面パネル４が複数の通気孔１９を有し、かつ一対の下側外フラップ５，６及び一対の下側内フラップ７，８が複数の通気孔２２を有することによって、当該箱用シートを組み立ててなる包装箱に収容される収容物３１の湿度調節機能を向上することができる。
【００３９】
（係合用突起）
一対の係合用突起９ａ，９ｂは、一対の係合用切欠き１６ａ，１６ｂの鉛直上方に形成されている。一対の係合用突起９ａ，９ｂは、一対の係合用切欠き１６ａ，１６ｂと略同形状に形成されており、具体的には略矩形状に形成されている。
【００４０】
一対の係合用突起９ａ，９ｂの上下方向長さは、一対の係合用切欠き１６ａ，１６ｂの上下方向長さに下側フラップ５〜８のシート厚さを加えた長さ以下である。一対の係合用切欠き１６ａ，１６ｂの上下方向長さ及び下側フラップ５〜８のシート厚さの合計長さに対する一対の係合用突起９ａ，９ｂの上下方向長さの比の下限としては、０．８が好ましく、０．９がより好ましい。上記比が上記下限に満たないと、係合用突起９ａ，９ｂ及び係合用切欠き１６ａ，１６ｂの係合状態における安定性が不十分となり、段積みした状態での複数の包装箱３１の安定性が十分に得られないおそれがある。一方、上記比の上限は１とされる。上記比が上記上限を超えると、当該箱用シートを組み立ててなる複数の包装箱３１の係合状態において一対の係合用突起９ａ，９ｂにかかる荷重が大きくなり、段積み状態における安定性が十分に得られないおそれがある。
【００４１】
一対の係合用突起９ａ，９ｂの第１側面パネル１乃至第４側面パネル４から延出される部分の左右方向長さは全て等しくてもよいが、例えば第２側面パネル２及び第４側面パネル４から延出される部分の左右方向長さが、第１側面パネル１及び第３側面パネル３から延出される部分の左右方向長さよりも大きくてもよい。当該箱用シートは、第２側面パネル２の下端及び第４側面パネル４の下端に、一対の係合用切欠き１６ａ，１６ｂから連続して一対の第１通気用切欠き１７ａ，１７ｂが形成されている。そのため、一対の係合用突起９ａ，９ｂの第２側面パネル２及び第４側面パネル４から延出される部分の左右方向長さを比較的大きくしても、一対の係合用切欠き１６ａ，１６ｂに係合する際に一対の係合用切欠き１６ａ，１６ｂと厳密に位置合わせしなくてもよいので、係合作業を比較的容易に行うことができる。さらに、当該箱用シートは、一対の係合用突起１６ａ，１６ｂの第２側面パネル２及び第４側面パネル４から延出される部分の左右方向長さ比較的大きくすることで係合部分の安定性を高めることができる。
【００４２】
（フランジ）
第１フランジ１１乃至第４フランジ１４は各々略矩形状に形成されている。また、第１フランジ１１乃至第４フランジ１４と第１側面パネル１乃至第４側面パネル４との連接部分は破断可能に構成されている。第１フランジ１１乃至第４フランジ１４と第１側面パネル１乃至第４側面パネル４との連接部分の具体的構成としては、特に限定されるものではないが、１又は複数のスリットと、シート材の一方側面を筋押しして形成される１又は複数の罫線とが交互に一列に接続されることで形成されるリード罫線であることが好ましい。かかるリード罫線によると、包装箱３１の組立時に第１フランジ１１乃至第４フランジ１４を内側に折り曲げ易いと共に、包装箱３１内から物品を取り出す際には第１フランジ１１乃至第４フランジ１４を第１側面パネル１乃至第４側面パネル４から切り離すことで物品の取り出し容易性を向上することができる。
【００４３】
第１フランジ１１乃至第４フランジ１４の上下方向長さは、一対の係合用突起９ａ，９ｂの上下方向長さよりも長い。また、第１フランジ１１乃至第４フランジ１４は、一対の係合用突起９ａ，９ｂの上方にも存在している。
【００４４】
第２フランジ１２及び第３フランジ１３の隣接する側の側縁が円弧状に面取りされている。一方、第１フランジ１１乃至第４フランジ１４のその他の側縁は面取りされていない。当該箱用シートは、第２フランジ１２及び第３フランジ１３の隣接する側の側縁が円弧状に面取りされていることによって、第１フランジ１１乃至第４フランジ１４を風車式に組み易い。また、当該箱用シートは、第２フランジ１２及び第３フランジ１３の隣接する側の側縁以外の側縁が面取りされていないので、これらの側縁を利用して当該箱用シートを組み立ててなる包装箱３１の平面形状を矩形状に保ち易い。
【００４５】
＜利点＞
当該箱用シートは、第１側面パネル１及び第２側面パネル２の連接部分の上縁、並びに第３側面パネル３及び第４側面パネル４の連接部分の上縁から上方に突出する係合用突起９ａ，９ｂを有し、かつ第１側面パネル１及び第２側面パネル２の連接部分の下端、並びに第３側面パネル３及び第４側面パネル４の連接部分の下端に係合用切欠き１６ａ，１６ｂを有するので、当該箱用シートを組み立ててなる複数の包装箱３１において、下側の包装箱３１の係合用突起９ａ，９ｂを上側に重ねられる包装箱の係合用切欠き１６ａ，１６ｂに係合することで複数の包装箱３１を安定的に段積みすることができる。また、当該箱用シートは、係合用切欠き１６ａ，１６ｂから左右方向に連続する第１通気用切欠き１７ａ、１７ｂを有するので、この第１通気用切欠き１７ａ，１７ｂによって包装箱３１内に外気を取り込み、かつ包装箱３１内の空気を排出することで、収容物の湿度調節を行うことができる。当該箱用シートは、係合用切欠き１６ａ，１６ｂ及び第１通気用切欠き１７ａ，１７ｂが連続して形成されているので、係合用切欠き１６ａ，１６ｂ及び第１通気用切欠き１７ａ，１７ｂの形成が容易である。
【００４６】
［その他の実施形態］
なお、本考案に係る箱用シートは、上記態様の他、種々の変更、改良を施した態様で実施することができる。例えば当該箱用シートは、一対の下側外フラップ及び一対の下側内フラップの基端側の端縁が係合用切欠きの下側に左右方向に延在することが好ましいが、一対の下側外フラップ及び一対の下側内フラップの基端側の端縁が係合用切欠きの下側に左右方向に延在しなくてもよい。
【００４７】
当該箱用シートは、必ずしも第２通気用切欠きを有しなくてもよい。また、当該箱用シートは、第２通気用切欠きを有する場合でも、下側内フラップの側縁が第２通気用切欠きの一端から下方に連続して形成さていなくてもよく、また下側外フラップの側縁が第２通気用切欠きの他端から下側外フラップの左右方向外側かつ下方に傾斜する傾斜部を有していなくてもよい。
【００４８】
当該箱用シートは、必ずしも第１側面パネル乃至第４側面パネルの上縁から延出する第１フランジ乃至第４フランジを有していなくてもよい。また、当該箱用シートは、例えば第１フランジ乃至第４フランジに代えて、第１側面パネル乃至第４側面パネルの上縁から蓋部を形成する４つの上側フラップが延出していてもよい。さらに、当該箱用シートは、第１フランジ乃至第４フランジを有する場合でも、第２フランジ及び第３フランジの隣接する側の側縁が面取りされていなくてもよい。
【００４９】
当該箱用シートは、第１側面パネル乃至第４側面パネル、及び４つの下側フラップが、組立状態でシート厚さ方向に貫通する複数の通気孔を有していなくてもよい。
【００５０】
当該箱用シートは、一対の第１通気用切欠きが一対の係合用切欠きから連続して第１側面パネル及び第３側面パネルに形成されていてもよい。
【産業上の利用可能性】
【００５１】
以上のように、本考案に係る箱用シートは、複数の通気孔を有することで収容物の湿度調節を行うことができると共に、段積みに適しているので、運搬用、保管用等に適している。
【符号の説明】
【００５２】
１  第１側面パネル
２  第２側面パネル
３  第３側面パネル
４  第４側面パネル
５，６，５’，６’  下側外フラップ
７，８，７’，８’  下側内フラップ
９ａ，９ｂ，９ａ’，９ｂ’  係合用突起
１１  第１フランジ
１２  第２フランジ
１３  第３フランジ
１４  第４フランジ
１５  糊代部
１６ａ，１６ｂ，１６ａ’，１６ｂ’  係合用切欠き
１７ａ，１７ｂ，１７ａ’，１７ｂ’  第１通気用切欠き
１８ａ，１８ｂ  第２通気用切欠き
１９，２２  通気孔
２０ａ，２０ｂ  傾斜部
２１ａ，２１ｂ  直線部
３１，３１’  包装箱
【図１】
0003207776.tif 000003
【図２】
0003207776.tif 000004
【図３】
0003207776.tif 000005
【図４】
0003207776.tif 000006